(57)【特許請求の範囲】
【請求項１】
収納領域を有するキャビネット本体と、
前記収納領域と前記収納領域の前方に位置する前方領域との間を前後方向に移動可能な外引き出しと、
前記外引き出しよりも上方に配置され、前記収納領域と前記前方領域との間を前記前後方向に移動可能な内引き出しであって、第１部材と、前記第１部材に対して前記前後方向に水平移動可能な第２部材と、を有し、前記第２部材が前記第１部材に対して前記水平移動することにより収納容量を変更可能な内引き出しと、
前記第１部材に対する前記第２部材の相対的移動を規制する規制状態と前記規制状態が解除された解除状態とを切り替えるロック部と、
を備え、
前記第１部材は、前記解除状態のときに前記第２部材が前記第１部材に対して前記水平移動する際に、前記第１部材が前記水平移動することを抑制する押さえ部を有し、
前記規制状態に設定される前記第２部材の位置は、複数存在することを特徴とするキャビネット。
【請求項２】
前記第１部材は、操作された状態において前記規制状態を解除するとともに前記解除状態を維持する解除操作部をさらに有し、
前記第２部材は、前記第１部材に対して前記第２部材を前記水平移動させる移動操作部を有し、
前記押さえ部は、前記解除操作部により前記解除状態を維持しながら前記第１部材が前記水平移動することを抑制可能であることを特徴とする請求項１記載のキャビネット。
【請求項３】
前記押さえ部は、
使用者が前記押さえ部を押さえて前記第１部材に対して前記第２部材を前方向へ前記水平移動させる際に力が後方向へ加えられる押し部と、
前記使用者が前記押さえ部を押さえて前記第１部材に対して前記第２部材を前記後方向へ前記水平移動させる際に力が前記前方向へ加えられる引き寄せ部と、
を有し、
前記解除操作部は、前記押し部および前記引き寄せ部のいずれか一方に設けられたことを特徴とする請求項２記載のキャビネット。
【請求項４】
前記押さえ部は、前記第１部材の前方部から下方に延びた突出部に設けられたことを特徴とする請求項３記載のキャビネット。
【請求項５】
前記第１部材は、上方へ凹んだ凹部が形成された底板を有し、
前記押さえ部は、前記凹部の前方に位置する突起部に設けられたことを特徴とする請求項３記載のキャビネット。
【請求項６】
前記規制状態が設定されていない場合において、前記第２部材が前記移動操作部により前記第１部材に対して前記水平移動すると、前記規制状態が設定されることを特徴とする請求項２〜５のいずれか１つに記載のキャビネット。
【請求項７】
前記第１部材は、底板と、後板と、両側板と、を有し、
前記第２部材は、底板と、前板と、両側板と、を有し、
前記第２部材の底板のうちの少なくとも一部は、前記第１部材の底板に重複するように前記水平移動し、
前記第２部材の両側板のうちの少なくとも一部は、前記第１部材の両側板に重複するように前記水平移動し、
前記移動操作部は、前記第２部材の前板として設けられたことを特徴とする請求項２〜６のいずれか１つに記載のキャビネット。
【発明の詳細な説明】
【技術分野】
【０００１】
本発明の態様は、一般的に、引き出しを備えたキャビネットに関する。
【背景技術】
【０００２】
例えば、外引き出しと内引き出しとを備えた引き出し付きキャビネットがある（特許文献１）。特許文献１に記載された引き出し付きキャビネットでは、前後方向において、内引き出しの前板と外引き出しの前板との間に空間が形成されている。使用者は、その空間を利用することにより、例えば一升瓶などの比較的背の高い収納物を収納することができる。
【０００３】
しかしながら、内引き出しの高さの位置が収納物の出し入れ動作に好適であるにもかかわらず、使用者によっては、内引き出しの前板と外引き出しの前板との間の空間が無駄になることがある。すなわち、比較的背の高い収納物を収納しない使用者にとっては、内引き出しの前板と外引き出しの前板との間の空間が利用されず無駄になることがある。
【０００４】
そこで、内引き出しを伸縮自在にすることにより、内引き出しの収納容量を変更可能にすることが考えられる。これにより、内引き出しの前板と外引き出しの前板との間の空間が必要ではない場合には、内引き出しを伸ばすことにより、その空間を内引き出しの収納容量として活用することができる。
【０００５】
しかしながら、この場合には、内引き出しがキャビネット本体から引き出されたり、あるいは内引き出しがキャビネット本体に収納されたりする度に、内引き出しが伸縮する。そのため、内引き出しの収納容量が使用者の意図に反して変更されるという問題がある。
【０００６】
そこで、内引き出しの収納容量を固定することが考えられる。しかしながら、内引き出しはキャビネット本体に収納されるため、内引き出しがキャビネット本体に収納された状態では、収納容量を固定する操作やその固定を解除する操作を行うことが困難である。一方で、内引き出しがキャビネット本体から引き出された状態で収納容量を固定する操作やその固定を解除する操作を行おうとすると、内引き出しの全体がキャビネット本体に対して移動可能であるため、収納容量の固定を解除していても、内引き出しの全体が水平移動することがある。すると、収納容量の固定を解除していても、収納容量が変更されないことがあるという新たな問題が生ずる。そのため、キャビネット本体の収納空間を収納容量として有効活用できたとしても、操作性が悪く、手軽に収納容量を変更できないという問題がある。
【先行技術文献】
【特許文献】
【０００７】
【特許文献１】特開２０１１−９８１１０号公報
【発明の概要】
【発明が解決しようとする課題】
【０００８】
本発明は、かかる課題の認識に基づいてなされたものであり、収納空間を有効活用することができ、操作性を向上させて手軽に引き出しの収納容量を変更することができるキャビネットを提供することを目的とする。
【課題を解決するための手段】
【０００９】
第１の発明は、収納領域を有するキャビネット本体と、前記収納領域と前記収納領域の前方に位置する前方領域との間を前後方向に移動可能な外引き出しと、前記外引き出しよりも上方に配置され、前記収納領域と前記前方領域との間を前記前後方向に移動可能な内引き出しであって、第１部材と、前記第１部材に対して前記前後方向に水平移動可能な第２部材と、を有し、前記第２部材が前記第１部材に対して前記水平移動することにより収納容量を変更可能な内引き出しと、前記第１部材に対する前記第２部材の相対的移動を規制する規制状態と前記規制状態が解除された解除状態とを切り替えるロック部と、を備え、前記第１部材は、前記解除状態のときに前記第２部材が前記第１部材に対して前記水平移動する際に、前記第１部材が前記水平移動することを抑制する押さえ部を有し、前記規制状態に設定される前記第２部材の位置は、複数存在することを特徴とするキャビネットである。
【００１０】
このキャビネットによれば、第１部材に対して第２部材を水平移動させることにより内引き出しの収納容量を変更することができる。そのため、キャビネット本体の収納空間を有効活用することができる。
【００１１】
また、第１部材に対する第２部材の相対的移動が規制される規制状態に設定される第２部材の位置は、複数存在する。そのため、内引き出しがキャビネット本体から引き出されたり、あるいは内引き出しがキャビネット本体に収納されたりする度に、内引き出しの収納容量が使用者の意図に反して変更されることを抑制することができる。
【００１２】
さらに、第１部材は、押さえ部を有する。押さえ部は、規制状態が解除された解除状態のときに第２部材が第１部材に対して水平移動する際に、第１部材が水平移動することを抑制する。そのため、使用者は、第２部材の規制状態を解除して第１部材の押さえ部を押さえながら第２部材を第１部材に対して水平移動させることで、内引き出しの収納容量を楽に変更することできる。
【００１３】
これにより、収納空間を有効活用することができるとともに、操作性を向上させて手軽に内引き出しの収納容量を変更することができる。
【００１４】
第２の発明は、第１の発明において、前記第１部材は、操作された状態において前記規制状態を解除するとともに前記解除状態を維持する解除操作部をさらに有し、前記第２部材は、前記第１部材に対して前記第２部材を前記水平移動させる移動操作部を有し、前記押さえ部は、前記解除操作部により前記解除状態を維持しながら前記第１部材が前記水平移動することを抑制可能であることを特徴とするキャビネットである。
【００１５】
このキャビネットによれば、使用者は、規制状態が解除された解除状態を解除操作部により維持する動作と、第１部材が水平移動することを押さえ部により抑制する動作と、を片手で行うことができる。そのため、使用者は、一方の手を用いて、解除状態を解除操作部により維持する動作と、第１部材が水平移動することを押さえ部により抑制する動作と、を行い、他方の手を用いて移動操作部を操作することにより内引き出しの収納容量を変更することができる。
【００１６】
すなわち、使用者は、解除操作部により規制状態を解除した後すぐに第２部材を第１部材に対して水平移動させることができる。これにより、内引き出しの収納容量を容易に変更することができ、操作性をより向上させることができる。
【００１７】
第３の発明は、第２の発明において、前記押さえ部は、使用者が前記押さえ部を押さえて前記第１部材に対して前記第２部材を前方向へ前記水平移動させる際に力が後方向へ加えられる押し部と、前記使用者が前記押さえ部を押さえて前記第１部材に対して前記第２部材を前記後方向へ前記水平移動させる際に力が前記前方向へ加えられる引き寄せ部と、を有し、前記解除操作部は、前記押し部および前記引き寄せ部のいずれか一方に設けられたことを特徴とするキャビネットである。
【００１８】
このキャビネットによれば、比較的簡易的な構造により、内引き出しの収納容量を容易に変更することができ、操作性をより向上させることができる。
【００１９】
第４の発明は、第３の発明において、前記押さえ部は、前記第１部材の前方部から下方に延びた突出部に設けられたことを特徴とするキャビネットである。
【００２０】
このキャビネットによれば、比較的簡易的な構造により、押さえ部を設けることができる。これにより、比較的簡易的な構造により、内引き出しの収納容量を容易に変更することができ、操作性をより向上させることができる。
【００２１】
第５の発明は、第３の発明において、前記第１部材は、上方へ凹んだ凹部が形成された底板を有し、前記押さえ部は、前記凹部の前方に位置する突起部に設けられたことを特徴とするキャビネットである。
【００２２】
このキャビネットによれば、内引き出しおよび外引き出しの収納容量を犠牲にすることなく、内引き出しの収納容量を容易に変更することができ、操作性をより向上させることができる。
【００２３】
第６の発明は、第２〜５のいずれか１つの発明において、前記規制状態が設定されていない場合において、前記第２部材が前記移動操作部により前記第１部材に対して前記水平移動すると、前記規制状態が設定されることを特徴とするキャビネットである。
【００２４】
このキャビネットによれば、規制状態が設定されていない場合において、第２部材を規制状態（固定状態）に設定するための操作部を別途設ける必要がない。使用者は、第２部材を移動操作部により第１部材に対して水平移動させるだけで、第２部材を規制状態に設定することができる。
【００２５】
第７の発明は、第２〜６のいずれか１つの発明において、前記第１部材は、底板と、後板と、両側板と、を有し、前記第２部材は、底板と、前板と、両側板と、を有し、前記第２部材の底板のうちの少なくとも一部は、前記第１部材の底板に重複するように前記水平移動し、前記第２部材の両側板のうちの少なくとも一部は、前記第１部材の両側板に重複するように前記水平移動し、前記移動操作部は、前記第２部材の前板として設けられたことを特徴とするキャビネットである。
【００２６】
このキャビネットによれば、移動操作部が第２部材の前板として設けられているため、移動操作部を別途設ける必要がない。これにより、比較的簡易的な構造により、内引き出しの収納容量を容易に変更することができ、操作性をより向上させることができる。
【発明の効果】
【００２７】
本発明の態様によれば、収納空間を有効活用することができ、操作性を向上させて手軽に引き出しの収納容量を変更することができるキャビネットが提供される。
【図面の簡単な説明】
【００２８】
【図１】本発明の実施の形態に係るキャビネットを表す模式的斜視図である。
【図２】本発明の実施の形態に係るキャビネットを表す模式的斜視図である。
【図３】本実施形態の内引き出しを表す模式的斜視図である。
【図４】本実施形態の内引き出しを分解して表した模式的分解図である。
【図５】本実施形態の内引き出しを側方から眺めたときの模式的平面図である。
【図６】図３に表した切断面Ｃ６−Ｃ６における模式的断面図である。
【図７】本実施形態の内引き出しを前方から眺めたときの模式的平面図である。
【図８】本実施形態の他の内引き出しを表す模式的断面図である。
【図９】第２部材が第１部材に対して相対的に後方の位置に固定された状態を表す模式的断面図である。
【図１０】第２部材が第１部材に対して相対的に後方の位置に固定された状態を表す模式的断面図である。
【図１１】第２部材が第１部材に対して相対的に中ほどの位置に固定された状態を表す模式的断面図である。
【図１２】第２部材が第１部材に対して相対的に前方の位置に固定された状態を表す模式的断面図である。
【発明を実施するための形態】
【００２９】
以下、本発明の実施の形態について図面を参照しつつ説明する。なお、各図面中、同様の構成要素には同一の符号を付して詳細な説明は適宜省略する。  
図１および図２は、本発明の実施の形態に係るキャビネットを表す模式的斜視図である。  
図１は、第２部材が第１部材に対して相対的に後に移動した状態を表す模式的斜視図である。  
図２は、第２部材が第１部材に対して相対的に前に移動した状態を表す模式的斜視図である。
【００３０】
本実施形態に係るキャビネット１０は、キャビネット本体１００と、外引き出し２００と、内引き出し３００と、を備える。
【００３１】
キャビネット本体１００は、収納領域１０１を内部に有する。すなわち、キャビネット本体１００の内部には、収納領域１０１が形成されている。説明の便宜上、図１および図２では、キャビネット本体１００が透けた状態を表している。実際には、外引き出し２００および内引き出し３００が閉じた状態では、キャビネット本体１００の外側からキャビネット本体１００の内部を見ることはできない。
【００３２】
外引き出し２００は、収納領域１０１と、収納領域１０１の前方に位置する前方領域１０２と、の間を前後方向に移動することができる。
【００３３】
なお、本願明細書において、「前」方向とは、外引き出し２００および内引き出し３００がキャビネット本体１００から引き出される方向をいう。また、「後」方向とは、外引き出し２００および内引き出し３００がキャビネット本体１００に収納される方向をいう。「上」方向とは、本実施形態に係るキャビネット１０の前にいる使用者からみて上の方向をいう。また、「下」方向は、本実施形態に係るキャビネット１０の前にいる使用者からみて下の方向をいう。「左」方向とは、本実施形態に係るキャビネット１０の前にいる使用者からみて左の方向をいう。また、「右」方向は、本実施形態に係るキャビネット１０の前にいる使用者からみて右の方向をいう。
【００３４】
内引き出し３００は、外引き出し２００よりも上方に配置され、第１部材３１０と、第２部材３２０と、を有する。内引き出し３００は、外引き出し２００と同様に、収納領域１０１と、収納領域１０１の前方に位置する前方領域１０２と、の間を前後方向に移動することができる。図１および図２に表したように、第２部材３２０は、第１部材３１０に対して前後方向に水平移動することができる。内引き出し３００は、第２部材３２０が第１部材３１０に対して水平移動することにより収納容量を変更可能である。
【００３５】
第１部材３１０は、押さえ部３３０と、解除操作部３１５と、を有する。押さえ部３３０および解除操作部３１５の詳細については、後述する。
【００３６】
第２部材３２０は、第１部材３１０に対する相対的移動が規制される規制状態と、規制状態が解除された解除状態と、切り替えられる。規制状態と解除状態と切り替えは、後述するロック部により行われる。規制状態に設定される第２部材３２０の位置は、複数存在する。内引き出し３００について、図面を参照しつつさらに説明する。
【００３７】
図３は、本実施形態の内引き出しを表す模式的斜視図である。  
図４は、本実施形態の内引き出しを分解して表した模式的分解図である。  
図５は、本実施形態の内引き出しを側方から眺めたときの模式的平面図である。  
図６は、図３に表した切断面Ｃ６−Ｃ６における模式的断面図である。  
図７は、本実施形態の内引き出しを前方から眺めたときの模式的平面図である。
【００３８】
第１部材３１０は、底板３１１と、後板３１２と、第１の側板３１３と、第２の側板３１４と、を有する。また、第１部材３１０は、押さえ部３３０と、解除操作部３１５と、をさらに有する。押さえ部３３０は、第１部材３１０の前方部から下方に延びた突出部３１６に設けられ、押し部３３１と、引き寄せ部３３２と、を有する。解除操作部３１５は、押し部３３１および引き寄せ部３３２のいずれか一方に設けられている。本実施形態の内引き出し３００では、解除操作部３１５は、押し部３３１に設けられている。
【００３９】
第２部材３２０は、底板３２１と、前板３２２と、第１の側板３２３と、第２の側板３２４と、後板３２５と、を有する。図５および図６に表したように、底板３２１には、第１の凹部（ロック部）３４２と、第２の凹部（ロック部）３４３と、第３の凹部（ロック部）３４４と、が設けられている。第２部材３２０の底板３２１のうちの少なくとも一部は、第１部材３１０の底板３１１に重複するように水平移動する。第２部材３２０の第１の側板３２３のうちの少なくとも一部は、第１部材３１０の第１の側板３１３に重複するように水平移動する。第２部材３２０の第２の側板３２４のうちの少なくとも一部は、第１部材３１０の第２の側板３１４に重複するように水平移動する。
【００４０】
第１部材３１０は、第２部材３２０の底板３２１に対向する部分に設けられた凸部（ロック部）３４１を有する。図４に表したように、凸部３４１は、第１部材３１０の両側部に設けられている。凸部３４１は、解除操作部３１５が操作されると左右方向に移動する。具体的には、凸部３４１は、解除操作部３１５が操作された状態において、相対的に左右方向における側方の位置に維持される。一方で、凸部３４１は、解除操作部３１５が操作されていない状態において、相対的に左右方向における中央の位置に維持される。言い換えれば、凸部３４１は、解除操作部３１５が操作されていない状態では、左右方向における中央に向けて付勢されている。
【００４１】
そこで、第１の凹部３４２、第２の凹部３４３および第３の凹部３４４のいずれかの前後方向の位置が、凸部３４１の前後方向の位置に合うと、凸部３４１は、第１の凹部３４２、第２の凹部３４３および第３の凹部３４４のいずれかに嵌まる。図６では、凸部３４１が第３の凹部３４４に嵌まった状態を表している。これにより、第１部材３１０に対する第２部材３２０の相対的移動が規制される。
【００４２】
このように、第１の凹部３４２、第２の凹部３４３、第３の凹部３４４および凸部３４１は、本願発明のロック部に相当する。ロック部は、第１部材３１０に対する第２部材３２０の相対的移動を規制する規制状態と、規制状態が解除された解除状態と、を切り替える。
【００４３】
凸部３４１が第１の凹部３４２に嵌まった状態では、第２部材３２０は、第１部材３１０に対して相対的に後方の位置に固定される。この状態では、内引き出し３００の収納容量は、「小」程度である。  
凸部３４１が第２の凹部３４３に嵌まった状態では、第２部材３２０は、第１部材３１０に対して相対的に中ほどの位置に固定される。この状態では、内引き出し３００の収納容量は、「中」程度である。  
凸部３４１が第３の凹部３４４に嵌まった状態では、第２部材３２０は、第１部材３１０に対して相対的に前方の位置に固定される。この状態では、内引き出し３００の収納容量は、「大」程度である。
【００４４】
このように、規制状態に設定される第２部材３２０の位置は、複数存在する。なお、本実施形態では、規制状態に設定される第２部材３２０の位置は、３つ存在する。但し、規制状態に設定される第２部材３２０の固定位置は、３つには限定されない。規制状態に設定される第２部材３２０の固定位置は、２つであってもよいし、４つ以上であってもよい。
【００４５】
例えば使用者が解除操作部３１５を操作すると、凸部３４１は、相対的に左右方向における側方の位置に維持され、第１の凹部３４２、第２の凹部３４３および第３の凹部３４４のいずれかから外れる。これにより、第１部材３１０に対する第２部材３２０の相対的移動を規制する規制状態が解除される。この状態（解除状態）において、使用者は、第１部材３１０に対して第２部材３２０を相対的に移動させると、内引き出し３００の収納容量を変更することができる。
【００４６】
ここで、使用者は、解除操作部３１５を操作して第２部材３２０の規制状態を解除するとともに解除状態を維持し、押さえ部３３０を押さえながら第２部材３２０を第１部材３１０に対して水平移動させることで、内引き出し３００の収納容量を変更することができる。具体的に説明すると、使用者は、一方の手で解除操作部３１５を操作して第２部材３２０の規制状態を解除するとともに解除状態を維持し、押さえ部３３０を押さえることができる。そして、使用者は、他方の手で第２部材３２０の前板３２２を持って第２部材３２０を第１部材３１０に対して水平移動させることができる。
【００４７】
このように、押さえ部３３０は、解除状態のときに第２部材３２０が第１部材３１０に対して水平移動する際に、第１部材３１０が水平移動することを抑制する。また、第２部材３２０の前板３２２は、第１部材３１０に対して第２部材３２０を水平移動させる移動操作部３２６として機能する。言い換えれば、移動操作部３２６は、第２部材３２０の前板３２２として設けられている。なお、移動操作部３２６は、第２部材３２０の前板３２２には限定されない。移動操作部３２６は、第２部材３２０の前板３２２とは別体として設けられていてもよい。
【００４８】
例えば、使用者は、押さえ部３３０を押さえて第１部材３１０に対して第２部材３２０を前方向へ水平移動させる際に、押さえ部３３０の押し部３３１に後方向へ向かう力を加える。一方で、使用者は、押さえ部３３０を押さえて第１部材３１０に対して第２部材３２０を後方向へ水平移動させる際に、押さえ部３３０の引き寄せ部３３２に前方向へ向かう力を加える。これにより、使用者は、第１部材３１０が水平移動することを抑えつつ、第１部材３１０に対して第２部材３２０を水平移動させることができる。
【００４９】
凸部３４１の前後方向の位置が第１の凹部３４２、第２の凹部３４３および第３の凹部３４４のいずれの前後方向の位置にも合っていない場合には、第２部材３２０の規制状態が解除されている。例えば、凸部３４１が第１の凹部３４２、第２の凹部３４３および第３の凹部３４４から外れ、第１の凹部３４２と第２の凹部３４３との間にある場合には、使用者は、第１部材３１０に対して第２部材３２０を前後方向へ水平移動させることができる。すると、凸部３４１が左右方向における中央に向けて付勢されているため、第１の凹部３４２および第２の凹部３４３のいずれかの前後方向の位置が凸部３４１の前後方向の位置に合うと、凸部３４１は、第１の凹部３４２および第２の凹部３４３のいずれかに嵌まる。これにより、第１部材３１０に対する第２部材３２０の相対的移動が規制される。
【００５０】
なお、図４に表したように、本実施形態の第１部材３１０は、一方の側部に解除操作部３１５を有する。図３、図４および図７に表した例では、第１部材３１０は、右側部に解除操作部３１５を有する。使用者は、解除操作部３１５を操作することにより、第２部材３２０の規制状態を解除するとともに解除状態を維持することができる。言い換えれば、使用者は、一方の側部に設けられた解除操作部３１５を操作することにより両側部に設けられた凸部３４１を移動させ、第２部材３２０の規制状態を解除するとともに解除状態を維持することができる。
【００５１】
本実施形態に係るキャビネット１０によれば、第１部材３１０に対して第２部材３２０を水平移動させることにより内引き出し３００の収納容量を変更することができる。そのため、キャビネット本体１００の収納空間を有効活用することができる。
【００５２】
また、第１部材３１０に対する第２部材３２０の相対的移動が規制される規制状態に設定される第２部材３２０の位置は、複数存在する。そのため、内引き出し３００がキャビネット本体１００から引き出されたり、あるいは内引き出し３００がキャビネット本体１００に収納されたりする度に、内引き出し３００の収納容量が使用者の意図に反して変更されることを抑制することができる。
【００５３】
さらに、第１部材３１０が押さえ部３３０を有するため、使用者は、第２部材３２０の規制状態を解除して第１部材３１０の押さえ部３３０を押さえながら第２部材３２０を第１部材３１０に対して水平移動させることで、内引き出し３００の収納容量を楽に変更することできる。
【００５４】
これにより、収納空間を有効活用することができるとともに、操作性を向上させて手軽に内引き出し３００の収納容量を変更することができる。
【００５５】
前述したように、使用者は、解除操作部３１５を操作して第２部材３２０の規制状態を解除するとともに解除状態を維持し、押さえ部３３０を押さえることができる。言い換えれば、押さえ部３３０は、解除操作部３１５により解除状態を維持しながら第１部材３１０が水平移動することを抑制可能である。そして、使用者は、移動操作部３２６を持って第２部材３２０を第１部材３１０に対して水平移動させることができる。
【００５６】
そのため、使用者は、規制状態が解除された解除状態を解除操作部３１５により維持する動作と、第１部材３１０が水平移動することを押さえ部３３０により抑制する動作と、を片手で行うことができる。そのため、使用者は、一方の手を用いて、解除状態を解除操作部３１５により維持する動作と、第１部材３１０が水平移動することを押さえ部３３０により抑制する動作と、を行い、他方の手を用いて移動操作部３２６を操作することにより内引き出し３００の収納容量を変更することができる。
【００５７】
すなわち、使用者は、解除操作部３１５により規制状態を解除した後すぐに第２部材３２０を第１部材３１０に対して水平移動させることができる。これにより、内引き出し３００の収納容量を容易に変更することができ、操作性をより向上させることができる。
【００５８】
また、前述したように、使用者が押さえ部３３０を押さえて第１部材３１０に対して第２部材３２０を前方向へ水平移動させる際に、後方向へ向かう力が押し部３３１に加えられる。あるいは、使用者が押さえ部３３０を押さえて第１部材３１０に対して第２部材３２０を後方向へ水平移動させる際に、前方向へ向かう力が引き寄せ部３３２に加えられる。これによれば、比較的簡易的な構造により、内引き出し３００の収納容量を容易に変更することができ、操作性をより向上させることができる。
【００５９】
また、押さえ部３３０が突出部３１６に設けられているため、比較的簡易的な構造により、押さえ部３３０を設けることができる。これにより、比較的簡易的な構造により、内引き出し３００の収納容量を容易に変更することができ、操作性をより向上させることができる。
【００６０】
さらに、前述したように、凸部３４１の前後方向の位置が第１の凹部３４２、第２の凹部３４３および第３の凹部３４４のいずれの前後方向の位置にも合っていない場合には、使用者は、第１部材３１０に対して第２部材３２０を前後方向へ水平移動させることで、第１部材３１０に対して第２部材３２０の移動が規制された規制状態とすることができる。これによれば、規制状態が設定されていない場合において、第２部材３２０を規制状態（固定状態）に設定するための操作部を別途設ける必要がない。使用者は、第２部材３２０を移動操作部３２６により第１部材３１０に対して水平移動させるだけで、第２部材３２０を規制状態に設定することができる。
【００６１】
図８は、本実施形態の他の内引き出しを表す模式的断面図である。  
図８は、図３に表した切断面Ｃ６−Ｃ６に相当する。
【００６２】
図８に表した内引き出し３００Ａは、第１部材３１０Ａと、第２部材３２０と、を有する。第１部材３１０Ａは、底板３１１Ａと、後板３１２と、を有する。図８に表したように、底板３１１Ａは、上方へ凹んだ凹部３１７を有する。そして、凹部３１７の前方には、突起部３１８が形成されている。図８に表した内引き出し３００Ａでは、押さえ部３３０は、凹部３１７の前方に位置する突起部３１８に設けられている。内引き出し３００Ａの他の構造は、図３〜図７に関して前述した内引き出し３００の構造と同じである。
【００６３】
これによれば、内引き出し３００Ａおよび外引き出し２００の収納容量を犠牲にすることなく、内引き出し３００Ａの収納容量を容易に変更することができ、操作性をより向上させることができる。
【００６４】
次に、外引き出し２００および内引き出し３００の開閉動作について、図面を参照しつつ説明する。  
図９および図１０は、第２部材が第１部材に対して相対的に後方の位置に固定された状態を表す模式的断面図である。  
図９（ａ）は、引き出し操作前の状態を表す模式的断面図である。図９（ｂ）は、連動開始時の状態を表す模式的断面図である。図１０（ａ）は、連動終了時の状態を表す模式的断面図である。図１０（ｂ）は、引き出し操作後の状態を表す模式的断面図である。
【００６５】
図９（ａ）に表したように、外引き出し２００は、第１の連動部材２１０を有する。第１の連動部材２１０は、外引き出し２００の後端部に設けられている。内引き出し３００は、第２の連動部材３５０と、第３の連動部材３６０と、を有する。第２の連動部材３５０は、第１部材３１０の底板３１１（図３参照）の下部の略中央部に設けられている（図５参照）。第３の連動部材３６０は、第１部材３１０の底板３１１の下部の後端部に設けられている（図５参照）。
【００６６】
図９（ａ）〜図１０（ｂ）に表したキャビネット１０では、第１部材３１０の凸部３４１は、第２部材３２０の第１の凹部３４２に嵌まっている。つまり、第２部材３２０は、第１部材３１０に対して相対的に後方の位置に固定されている。内引き出し３００の収納容量は、「小」程度に設定されている。
【００６７】
使用者が図９（ａ）に表した状態から外引き出し２００を前方へ引き出すと、図９（ｂ）に表したように、第１の連動部材２１０が第２の連動部材３５０に当たる。そして、使用者が外引き出し２００をさらに前方へ引き出すと、第２の連動部材３５０が第１の連動部材２１０から前方向へ向かう力を受ける。これにより、図１０（ａ）に表したように、内引き出し３００は、外引き出し２００とともに前方へ引き出される。すなわち、内引き出し３００は、外引き出し２００と連動し前方へ移動する。
【００６８】
続いて、使用者が図１０（ａ）に表した状態から内引き出し３００を前方へ引き出すと、内引き出し３００をキャビネット本体１００の収納領域１０１から引き出すことができる。図９（ａ）〜図１０（ｂ）に関して説明した動作において、第１部材３１０に対する第２部材３２０の相対的移動が規制されている。つまり、第２部材３２０は、第１部材３１０に対して相対的に固定されている。そのため、内引き出し３００の収納容量が使用者の意図に反して「小」程度から変更されることを抑制することができる。
【００６９】
一方で、使用者が図１０（ｂ）に表した状態から外引き出し２００を後方へ押すと、第１の連動部材２１０が第３の連動部材３６０に当たる。そして、使用者が外引き出し２００をさらに後方へ押すと、第３の連動部材３６０が第１の連動部材２１０から後方向へ向かう力を受ける。これにより、内引き出し３００は、外引き出し２００とともに後方へ押される。すなわち、内引き出し３００は、外引き出し２００と連動し後方へ移動する。このときにおいても、第１部材３１０に対する第２部材３２０の相対的移動が規制されている。そのため、内引き出し３００の収納容量が使用者の意図に反して「小」程度から変更されることを抑制することができる。
【００７０】
図１１は、第２部材が第１部材に対して相対的に中ほどの位置に固定された状態を表す模式的断面図である。  
図１１（ａ）は、引き出し操作前の状態を表す模式的断面図である。図１１（ｂ）は、引き出し操作後の状態を表す模式的断面図である。
【００７１】
図１１（ａ）および図１１（ｂ）に表したキャビネット１０では、第１部材３１０の凸部３４１は、第２部材３２０の第２の凹部３４３に嵌まっている。つまり、第２部材３２０は、第１部材３１０に対して相対的に中ほどの位置に固定されている。内引き出し３００の収納容量は、「中」程度に設定されている。
【００７２】
使用者が図１１（ａ）に表した状態から外引き出し２００を前方へ引き出すと、第１の連動部材２１０が第２の連動部材３５０に当たる。そして、使用者が外引き出し２００をさらに前方へ引き出すと、内引き出し３００は、外引き出し２００とともに前方へ引き出される。続いて、図１１（ｂ）に表したように、使用者が内引き出し３００を前方へ引き出すと、内引き出し３００をキャビネット本体１００の収納領域１０１から引き出すことができる。
【００７３】
図１１（ａ）および図１１（ｂ）に関して説明した動作において、第１部材３１０に対する第２部材３２０の相対的移動が規制されている。つまり、第２部材３２０は、第１部材３１０に対して相対的に固定されている。そのため、内引き出し３００の収納容量が使用者の意図に反して「中」程度から変更されることを抑制することができる。
【００７４】
一方で、使用者が図１１（ｂ）に表した状態から外引き出し２００を後方へ押すと、第１の連動部材２１０が第３の連動部材３６０に当たる。そして、使用者が外引き出し２００をさらに後方へ押すと、内引き出し３００は、外引き出し２００とともに後方へ押される。すなわち、内引き出し３００は、外引き出し２００と連動し後方へ移動する。このときにおいても、第１部材３１０に対する第２部材３２０の相対的移動が規制されている。そのため、内引き出し３００の収納容量が使用者の意図に反して「中」程度から変更されることを抑制することができる。
【００７５】
図１２は、第２部材が第１部材に対して相対的に前方の位置に固定された状態を表す模式的断面図である。  
図１２（ａ）は、引き出し操作前の状態を表す模式的断面図である。図１２（ｂ）は、引き出し操作後の状態を表す模式的断面図である。
【００７６】
図１２（ａ）および図１２（ｂ）に表したキャビネット１０では、第１部材３１０の凸部３４１は、第２部材３２０の第３の凹部３４４に嵌まっている。つまり、第２部材３２０は、第１部材３１０に対して相対的に前方の位置に固定されている。内引き出し３００の収納容量は、「大」程度に設定されている。
【００７７】
使用者が図１２（ａ）に表した状態から外引き出し２００を前方へ引き出すと、第１の連動部材２１０が第２の連動部材３５０に当たる。そして、使用者が外引き出し２００をさらに前方へ引き出すと、内引き出し３００は、外引き出し２００とともに前方へ引き出される。続いて、図１２（ｂ）に表したように、使用者が内引き出し３００を前方へ引き出すと、内引き出し３００をキャビネット本体１００の収納領域１０１から引き出すことができる。
【００７８】
図１２（ａ）および図１２（ｂ）に関して説明した動作において、第１部材３１０に対する第２部材３２０の相対的移動が規制されている。つまり、第２部材３２０は、第１部材３１０に対して相対的に固定されている。そのため、内引き出し３００の収納容量が使用者の意図に反して「大」程度から変更されることを抑制することができる。
【００７９】
一方で、使用者が図１２（ｂ）に表した状態から外引き出し２００を後方へ押すと、第１の連動部材２１０が第３の連動部材３６０に当たる。そして、使用者が外引き出し２００をさらに後方へ押すと、内引き出し３００は、外引き出し２００とともに後方へ押される。すなわち、内引き出し３００は、外引き出し２００と連動し後方へ移動する。このときにおいても、第１部材３１０に対する第２部材３２０の相対的移動が規制されている。そのため、内引き出し３００の収納容量が使用者の意図に反して「大」程度から変更されることを抑制することができる。
【００８０】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、キャビネット本体１００、外引き出し２００および内引き出し３００などが備える各要素の形状、寸法、材質、配置などや押さえ部３３０、解除操作部３１５および移動操作部３２６の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８１】
１０ キャビネット、  １００ キャビネット本体、  １０１ 収納領域、  １０２ 前方領域、  ２００ 外引き出し、  ２１０ 第１の連動部材、  ３００、３００Ａ 内引き出し、  ３１０、３１０Ａ 第１部材、  ３１１、３１１Ａ 底板、  ３１２ 後板、  ３１３ 第１の側板、  ３１４ 第２の側板、  ３１５ 解除操作部、  ３１６ 突出部、  ３１７ 凹部、  ３１８ 突起部、  ３２０ 第２部材、  ３２１ 底板、  ３２２ 前板、  ３２３ 第１の側板、  ３２４ 第２の側板、  ３２５ 後板、  ３２６ 移動操作部、  ３３０ 押さえ部、  ３３１ 押し部、  ３３２ 引き寄せ部、  ３４１ 凸部、  ３４２ 第１の凹部、  ３４３ 第２の凹部、  ３４４ 第３の凹部、  ３５０ 第２の連動部材、  ３６０ 第３の連動部材
【図１】
0006651893.tif 000002
【図２】
0006651893.tif 000003
【図３】
0006651893.tif 000004
【図４】
0006651893.tif 000005
【図５】
0006651893.tif 000006
【図６】
0006651893.tif 000007
【図７】
0006651893.tif 000008
【図８】
0006651893.tif 000009
【図９】
0006651893.tif 000010
【図１０】
0006651893.tif 000011
【図１１】
0006651893.tif 000012
【図１２】
0006651893.tif 000013